Podtech/llm-jp-corpus-v4-ja_patent huggingface dataset:
(57)【要約】      （修正有）【課題】サイドミラーの死角領域を改善、改良のため、死角領域を瞬時に確認できる補助機能として、安全運転を促すこと。【解決手段】左側サイドミラーは、本体ミラー１に対して運転者から外側に３度又は５度の角度を外側につけ、固着を同時に発光ガラス管３も本体ミラー１と補助ミラー２の接点上に同時に固着し、補助ミラー幅は本体の３分の１又は５分２として、一体化形成する。【選択図】図１
2017218137.tif 000002
【特許請求の範囲】
【請求項１】
車輌用サイドミラーであって、本体と補助ミラーからなり前記本体と前記補助ミラーとの間に、発光ガラス管を同巻してなると共に前記本体と前記補助ミラーとは３度、又は５度の角度を外側に拡開して、固着する、サイドミラー
【発明の詳細な説明】
【技術分野】
【０００１】本発明は車輌用に取り付けられた、サイドミラーに関するもので運転者の後方視界を拡大することで、接触、衝突などの危険を防ぎ、安全を確認することを促す、車輌用サイドミラーに関す。
【背景技術】
【０００２】従来の車輌にはサイドミラーやバックミラーが設置されてドライバーから後方の安全を視認できたとされるが、しかし乍多くのドライバーは、サイドミラー等に過度の依存をしすぎ、左右の死角領域を見落とし多くの事故の事例があります
そのため多くの大型車輌には死角領域用のサイドミラーが取り付けられています。【０００３】そのため、独立して方向を調節することのできる２つのミラーを一体化したサイドミラーが提案されている。（特許文献１参考）
【先行技術文献】
【特許文献】
【０００４】
【特許文献１】  特開２００５−１３２２１８号公報
【特許文献２】  特開平０５−９７５５１０号公報
【発明の概要】
【発明が解決しようとする課題】
【０００５】しかし乍ら上記した、参考文献に示されている車輌用サイドミラーは２つのミラーがそれぞれ独立して角度調整されているため、より多くの視界を拡大する
ミラーが  ２つのミラーの接点が、死角になり、不必要な視界を拡大するだけとなり不意の危険には、対応が不可能である。
【課題を解決するための手段】
【０００６】本発明は上記課題を解決するため、なされたものであって請求項１に記載の車輌用サイドミラーは、本体と補助ミラーからなる前記本体と前記補助ミラーとの間に、発光ガラス管を固着してなると共に前記本体と前記補助ミラー【０００７】上記課題を解決するために、本発明に係わる、車輌用サイドミラーはミラー本体の外側とミラー本体の鏡面に対して３度及び５度の範囲で外側に拡開させミラー本体より幅狭の補助ミラーを本体ミラーとの接合部にと同時に発光ガラス管を固着して一体となるように形成一体化して、死角領域を如なる環境でも運転者が瞬時に確認できる、サイドミラーである。【０００８】上記構成を示すことにより、本発明は車輌用サイドミラーで従来最も危険とされていた、視角領域と死角領域の境界線上に、発光ガラス管を同時に同着し運転者が如何なる環境でも死角領域を確認でき円滑な動作を補助し安全運転に導く、サイドミラー。
【発明の効果】
【０００９】上記構成を有することにより従来最も危険とされた、死角領域も補助ミラーと発光ガラス管の助力で死角領域も確実に確認し、安全性を向上させ左折時右折時、又車線変更時など運転者が、必要とする上記危険情報を、瞬時に確認することができるサイドミラー。【００１０】なお、念のため、サイドミラーの裏側に保護カバーを全体に固着して安全を期す。
【図面の簡単な説明】
【００１１】
【図１】  本発明の実施の示す本体の斜視図
【図２】  本体サイドミラーの平面図
【図３】  車台に取り付けるサイドミラーの平面図
【図４】  本発明の最大の特長の発光ガラス管の明細図
【図５】  サイドミラー本体の明細図
【図６】  サイドミラーの全体の裏側に保護カバー
【図７】  死角領域確認用サイドミラーの全体図
【発明を実施するための形態】
【００１２】この車輌用サイドミラーは幅広の本体ミラー〔図１〕と外方向側、補助ミラー〔図２〕はミラー本体と同じ高さをもち、ミラー本体の３分の１、又は５分の２の幅狭とする、補助ミラー〔図２〕を固着と同時に発光ガラス管も固着、本体ミラーと補助ミラーの角度は３度又は５度の角度をもって外方側に固着連続状に一体化に形成する。
【００１３】この補助ミラー〔図１−２〕は車輌の種類等により様々な要因を考慮して上記の範囲で決められたものであるが〔図６〕で示す、死角領域を補助ミラー〔図１−２〕で危険領域が視認領域になり危険が解消される。
【００１４】本発明の課題は車輌に設置されるサイドミラーやバックミラーの死角領域を解消して、安全を確認するに必要な視界を拡大すると、ともに通常の運転に支障を来たさず、しかも集中力を分散することはなくその拡大視界に映った歩行者、車輌などの存在を気づかせ、運転者の目視で確認すること促す車輌用バックミラーを提供する。
【００１５】図１は本発明の係わる車輌用ミラーとサイドミラーとして用いた場合を示す斜視図
図３〔２−１〕は車体の左側に取り付けられたサイドミラーの平面図
図６はサイドミラーの視認状態をを示す。
【００１６】この補助ミラーは左側本体と右側本体の外側にそれぞれ角度をつけ同時に発光ガラス管も固着一体化に形成するサイドミラー
【符写の説明】
【００１７】  １．本体ミラー
２．補助ミラー
３．発光ガラス管
４．縁側
2017218137.tif 000003
【図１】
2017218137.tif 000004
【図２】
2017218137.tif 000005
【図３】
2017218137.tif 000006
【図４】
2017218137.tif 000007
【図５】
2017218137.tif 000008
【図６】
2017218137.tif 000009
【図７】
2017218137.tif 000010
(57)【要約】      （修正有）【課題】大津波や洪水（河川の氾濫）などの大規模水害の発生時に、高い波浪により乗船者が船外に投げ出されたり、浸水して転覆するという問題がある。又、浮遊物等の衝突により船体が破損することで浸水して沈没するという問題がある。【解決手段】水害避難用救命艇は、型巾の広い船体１に格納された膨縮自在な筒状密閉膜材の筒体３に圧縮空気もしくはヘリウムガスを注入して膨張し、上方に伸長することで型深さの深い船体１として高い波浪に対応することができる。又、船体１の周囲の外壁に緩衝材７を装備して浮遊物等の衝突から防護することができる。【選択図】図２
2017218136.tif 000002
【特許請求の範囲】
【請求項１】
水害避難用救命艇に膨縮自在な筒状密閉膜材の筒体に注入装置から圧縮空気もしくはヘリウムガスを注入することで筒体が膨張し、上方に伸長して型深さを深くすることで高い波浪に対応できるとともに、緩衝材を装備して浮遊物等の衝突から船体を防護できるなどの特徴をもつ水害避難用救命艇。
【発明の詳細な説明】
【技術分野】
【０００１】  本願発明は、大津波や洪水（河川の氾濫）などの大規模水害発生時において家族や住民等が迅速かつ安全に避難できる水害避難用救命艇に関するものである。尚、本願の説明において水害避難用救命艇と救命艇は同義語であって、以下の説明では、本願の水害避難用救命艇を単に救命艇と表現することがある。
【背景技術】
【０００２】  大津波や洪水（河川の氾濫）などの大規模水害が発生したときに、従来の救命ボート等では、船体の型深さが浅いため高い波浪により浸水して沈没することが起こったり、浮遊物等の衝突で船体が損傷することで浸水して沈没することが起こり得る。【０００３】  又、大規模水害が発生したときに、従来の救命ボート等では、船体の型巾が狭いため高い波浪により乗船者が船外に投げ出されたり、転覆したりすることが起こり得る。
【先行技術文献】
【０００４】
【特許文献１】特開２０１４−２４５２８号公報
【発明の概要】
【発明が解決しようとする課題】
【０００５】  本願発明は、大津波や洪水（河川の氾濫）などの大規模水害が発生したときに、船体の型深さが浅いために高い波浪により浸水して沈没したり、浮遊物等の衝突で船体が損傷することで浸水して沈没したり、船体の型巾が狭いため高い波浪により乗船者が船外に投げ出されたり、転覆したりするという問題に対応するため緩衝材を装備した上方伸長式の水害避難用救命艇を提供することを目的としている。
【課題を解決するための手段】
【０００６】  本願発明は、上記課題を解決するための手段として次の構成を有している。尚、本願発明は、大津波や洪水（河川の氾濫）などの大規模水害が発生時に適用される水害避難用救命艇を対象としている。【０００７】  「本願請求項１の発明」
本願請求項１の発明の水害避難用救命艇は、救命艇の型巾の広い船体（ＦＲＰ製船体もしくは金属製船体）に格納された膨縮自在な筒状密閉膜材からなる筒体と圧縮空気もしくはヘリウムガスを注入する注入装置を備えている一方、筒体は、注入装置により圧縮空気もしくはヘリウムガスを注入することで上方に伸長することにより高い波浪に対応できる型深さの深い船体になることができることを特徴としている。【０００８】  本願請求項１の発明の水害避難用救命艇は、船体の外壁に緩衝材を装備することで浮遊物等の衝突による船体への衝撃を緩和するとともに、損傷を防止することを特徴としている。【０００９】  上記の船体に格納された膨縮自在な筒状密閉膜材からなる筒体は、比較的強靭な非通気性シート材（例えばテント材）が使用されている。通常は、筒状密閉膜材からなる筒体が偏平状に縮んでいて上下厚さが薄くなっているが、該筒状密閉膜材に圧縮空気もしくはヘリウムガスが注入されると筒体が膨張し、上方に伸長するとともに、内部に注入された圧縮空気もしくはヘリウムガスにより強力な浮力が発生するものである。【０００１０】  上記の圧縮空気もしくはヘリウムガスの注入装置は、空気もしくはヘリウムガスを圧縮状態で封入したバルブ付きのガスボンベを使用したものである。
【発明の効果】
【００１１】  本願請求項１の水害避難用救命艇は、膨縮自在な筒状密閉膜材からなる筒体に注入装置から圧縮空気もしくはヘリウムガスを注入することで、膨張した筒体が上方に伸長して所望高さ（高い波浪にも対応できる高さ）にすることで、高い波浪により乗船者が船外に投げ出されたり、転覆したりすることを防止できる効果がある。【００１２】  又、本願請求項１の水害避難用救命艇は、船体（ＦＲＰ製船体もしくは金属製船体）の外壁に厚みのある緩衝材を取り付けることにより、浮遊物等の衝突により船体への衝撃を緩和するとともに、損傷により浸水して沈没することを防止できる効果がある。
【図面の簡単な説明】
【００１３】
【図１】  本願実施例の水害避難用救命艇のＩ−Ｉ断面図と平面図
【図２】  図１からの状態変化図で、水害時の救命艇形態図
【発明を実施するための形態】
【００１４】  以下、図１〜図２を参照して本願の実施例を説明すると、この実施例の水害避難用救命艇は、緩衝材を装備した上方伸長式の救命艇として製作されたものである。尚、以下の実施例においても本願の水害避難用救命艇を船体１と表現することがある。
【００１５】  図１にある水害避難用救命艇の船体１は、平常時は船体１の周囲に設置された格納箇所２に、膨縮自在な筒状密閉膜材からなる筒体３を偏平状に縮んで上下厚さが薄くなった状態で格納されている。又、格納箇所２の内側の所定間隔をもってシートベルトを配置することができる。
【００１６】  図１にある水害避難用救命艇の船体１が、緊急時（大規模な水害発生時）には格納された状態の筒体３に、注入装置４のバルブを開放して供給管５を通して圧縮空気もしくはヘリウムガスが注入されることにより、筒体３が図２に示すように膨張し、上方に伸長して所望高さ（高い波浪にも対応できる高さ）になることができる。又、注入装置４のバルブで注入量を調整することで筒体３の所望高さを調整することができる。筒体３の上部に結合式の雨除けや日除け用テント８を装備することができる。
【００１７】  図２にある船体１の収納箇所２の外壁と船底６の外壁に厚みのある緩衝材７を取り付けて船体１を浮遊物等の衝突による衝撃や損傷から防護することができる。
【００１８】  図１〜図２にある船体１は、小型救命艇（２人以上）と大型救命艇（５０人以上）によってＦＲＰ製船体と金属製船体に設定することができる。
【符号の説明】
【００１９】  １は船体、２は格納箇所、３は筒状密閉膜材の筒体、４は注入装置（バルブ付ガスボンベ）、５は供給管、６は船底、７は緩衝材、８は雨や日除け用テント。
【図１】
2017218136.tif 000003
【図２】
2017218136.tif 000004
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
水害避難用救命艇に膨縮自在な筒状密閉膜材の筒体に注入装置から圧縮空気もしくはヘリウムガスを注入することで筒体が膨張し、上方に伸長して型深さを深くすることで高い波浪に対応できるとともに、緩衝材を装備して浮遊物等の衝突から船体を防護できることを特徴とする水害避難用救命艇。
(57)【要約】      （修正有）【課題】津波を含む水害等の災害発生時において、短時間で人命救助の措置を講ずること、および災害発生後の存命に寄与することのできる器具を提供する。【解決手段】非常用食料を内蔵した浮力材であって、前記非常用食料が浮力材として機能するか、または浮力を有する非常用固形食糧であるか、もしくは、前記非常用食料と併せて不活性ガスが封入された袋状のものとする浮力材、フローティングベスト、太陽電池パネル７、給電口および収納ポケット１０を一体化した救命兼防災ベスト６である。【選択図】図２
2017218135.tif 000002
【特許請求の範囲】
【請求項１】
非常用食料となる浮力材、フローティングベスト、太陽電池パネル、給電口および収納ポケットを一体化したことを特徴とする救命兼防災ベスト。
【請求項２】
非常用食料を内蔵した浮力材であって、前記非常用食料が浮力材として機能するか、または浮力を有する非常用固形食料であるか、もしくは、前記非常用食料と一緒に不活性ガスが封入された袋状のものであることを特徴とする浮力材。
【発明の詳細な説明】
【背景分野】
【０００１】本発明は、災害時の救命および存命を図るベストに関する。
【０００２】従来の災害対策は、構造物による減災を主たる手段とし、それにより人命救助（避難時間の確保）を図っているが、例えば近海で大地震が発生した場合、あるいは、想定を超えた大津波などが発生した場合、これらは意味をなさない。
そのため、災害発生から短時間で救命措置を図ることのできるものとして、フローティングベストの大量配置が望まれる。
さらに、災害が収まった後の生存手段として、発電機と食料を併せ持たせることにより、より長期の存命を図ることが可能となる。
また、日常は窓際に並べるなどして電源として活用するとともに、防災意識を高める意匠ともなる。
非常食は３年に一度の避難訓練で消費し、入れ替える。小学生であれば在学中に２回、中高生であれば在学中に１回、非常食体験をすることが可能となる。
沿岸部の学校や公共施設においては、これらの設置を義務づけることにより、災害発生時の子ども、地元住民および観光客等、あらゆる人間の安全確保に貢献することを目指す。
【先行技術文献】
【０００３】
【非特許文献１】ＦＩＮＥ  ＪＡＰＡＮ（ファインジャパン）フローティングベスト  ＦＶ−６００１
【非特許文献２】ＲＡＶＰｏｗｅｒ  ソーラーチャージャー  折りたたみ式  ソーラーパネル
【非特許文献３】ＲＡＶＰｏｗｅｒ  モバイルバッテリー
【非特許文献４】ｉＢＵＦＦＡＬＯ  ＵＳＢ２．０ハブ  ５ポートタイプ  ＢＳＨ５Ｕ０３ＢＫ
【発明の概要】
【発明が解決しようとする課題】
【０００４】災害大国日本において整備が遅れている、短時間で災害時の人命救助の措置を講ずること、および災害発生後の存命に寄与することのできる器具の開発とそれらを適切に配置をすることが課題である。
【課題を解決するための手段】
【０００５】本考案は、非常用食料を内蔵した浮力材であって、前記非常用食料が浮力材として機能するか、または浮力を有する非常用固形食糧であるか、もしくは、前記非常用食料と併せて不活性ガスが封入された袋状のものとすることによって、上記課題を解決することものである。【０００６】また、第２の課題解決手段は、上記非常用食料を内蔵した浮力材、フローティングベスト、太陽電池パネル、給電口および収納ポケットを一体化した救命兼防災ベストである。【０００７】第１の課題解決手段による作用は、水害時の救難用に備蓄される浮力材として、浮力の機能のみならず、災害後に内蔵された食料を取り出すことで、急場の非常食料として機能することができる。【０００８】第２の課題解決手段は、上記作用に加え、ベストに一体化したことで、エネルギー供給をも可能とするところにある。
【発明の効果】
【０００９】上述したように、本考案に係る浮力材または救命兼防災ベストを学校、職場及び自宅などに常備することにより、津波を含む水害への迅速な救命準備が可能になる。さらに、災害後の生活をサポートすることができる。
【図面の簡単な説明】
【００１０】
【図１】  本考案の実施形態を示す浮力材の姿図
【図２】  本考案の実施形態を示すフローティングベストの前側の姿図
【図３】  本考案の実施形態を示すフローティングベストの後側の姿図
【図４】  本考案の実施形態を示すフローティングベストの断面図
【発明を実施するための形態】
【００１１】以下、本発明の実施の形態を図１ないし４に基づいて説明する。
【００１２】図１に本考案に係る浮力材の例を示す。その一は、食料となる浮力材１を保護フィルム２でくるんだものである。食料となる浮力材１は、浮力を有する非常用固形食料が好ましい。多数の気泡を含むことで実現できる。その一は、浮袋３の中に、非常用食料４および不活性ガス５を充填することで浮力材とするものである。この場合、非常用食料４が水に対して浮力を有する必要はないが、浮力を有する食料であることが望ましい。
【００１３】図２に本考案に係る救命兼防災用ベストの一例を示す。
ベスト本体６は布またはメッシュなどの柔らかく軽量なものとする。
図３に示すように、ベスト本体６の背面には、太陽電池パネル７を配置し、図２に示すようにベスト本体６の前面には、バッテリ等の収納ポケット１０を配置することができる。
ベスト本体６内側には、浮力材を収納するポケット７を配置することができる。
ベスト本体６前面数箇所に電源用のＵＳＢポートを配置することができる。
必要に応じて、ベストの襟周りに浮袋または伸縮型の頭部保護材を取り付けることができる。
【００１４】図４に救命兼防災用ベストのＡ−Ａ断面図を示す。本断面図ではベスト本体６内側胸側に浮力材収納ポケット１０を、ベスト本体６内側前側および背側に太陽電池７を配置している。
【００１５】本考案にかかる浮力材や救命兼防災用ベストを学校や職場、自宅ほか、非難集合場所等に備蓄することで緊急時に水害に即時対応することができ、災害後の食糧確保にも寄与することが期待できる。
【符号の説明】  １  食料となる浮力材
２  保護フィルム
３  浮袋
４  非常用食料
５  不活性ガス
６  ベスト本体
７  太陽電池パネル又は太陽電池パネル付ポケット
８  ＵＳＢポート
９  浮袋または頭部保護具収納袋
１０  収納袋
１１  股抜け防止ベルト
１２  浮力材収納ポケット
１３  バッテリーなどの非常用器具または装置
【図１】
2017218135.tif 000003
【図２】
2017218135.tif 000004
【図３】
2017218135.tif 000005
【図４】
2017218135.tif 000006
(57)【要約】      （修正有）【課題】無色透明かつ密閉中空を有する２重保温容器はこれまでほとんど例がなく、つくるとしてもとても高価なものとなり、制作されるには機会が少なかった。【解決手段】容器１，２を２重に重ねることで中空部３を形成し、それらを着脱式とした二重保温容器を開発する。【選択図】図１
2017218222.tif 000002
【特許請求の範囲】
【請求項１】
大小２つの容器を重ね、容器間に中空部を設けることにより、保温機能を高めた容器であって、透明な材料を用い、着脱機構を備えたことを特徴とする二重保温容器。
【請求項２】
前記着脱機構は、ねじ式螺嵌方式、突起を他方の容器溝に係止する方式、または、双方容器の凹部に接合器具を接合する方式とすることを特徴とする二重保温容器。
【発明の詳細な説明】
【背景分野】
【０００１】本発明は、着脱可能かつ透明な二重保温容器に関する。
【０００２】従来の保温容器は、保温機構となる中空部は密閉型のものしかなかった。
そのため、周囲から内部の飲料が見えない容器がほとんどである。
仮にガラスのみで密閉中空部を持つ保温容器を一体成形した場合、とても高価なものとなり普及しにくい。
そのため、あえて保温機構部に真空状態を求めず、容器を着脱可能な２重構造にすることによって、周囲から内部の飲料が見える保温容器が望まれる。
【先行技術文献】
【０００２】
【非特許文献１】サーモス  真空断熱マグ  ０．２８Ｌ  クリアブラウン  ＪＣＰ−２８０Ｃ
【発明の概要】
【発明が解決しようとする課題】
【０００４】周囲から内部の飲料がみえる二重保温容器を安価につくることが課題である。
【課題を解決するための手段】
【０００５】本発明は、透明な２つの容器を重ね、それらを着脱式にすることによって、周囲から内部の飲料が見える安価な二重保温容器を開発する。
透明な材質として、ガラスやアクリルが適用できるが、これに限定されない。
【発明の効果】
【０００６】見た目と味を楽しむビールやカクテルなどの飲料が冷温状態から常温状態になる早さを遅らせることで、おいしさを従来より長い時間維持することが可能となる。
【図面の簡単な説明】
【０００７】
【図１】本発明の実施形態を示す二重容器の断面図１
【図２】本発明の実施形態を示す二重容器の断面図２
【図３】本発明の実施形態を示す二重容器の断面図３
【図４】本発明の実施形態を示す二重容器の断面図４
【図５】本発明の実施形態を示す内部容器の脱落防止方式１縦断面図
【図６】本発明の実施形態を示す内部容器の脱落防止方式２横断面図
【図７】本発明の実施形態を示す内部容器の脱落防止方式２縦断面図
【図８】本発明の実施形態を示す内部容器の脱落防止方式３縦断面図
【発明を実施するための形態】
【０００８】以下、本発明の実施の形態を図１ないし７に基づいて説明する。
【０００９】図１は円筒状の実施縦断面の例を示す。すべて透明な材質である。
図２は逆円錐状の実施縦断面の例を示す。すべて透明な材質である。
図３はワイングラス状の実施縦断面の例を示す。すべて透明な材質である。
図４はジョッキ状の実施縦断面の例を示す。すべて透明な材質である。
【００１０】図５に本発明に係る着脱方式の一方式を示す。
ねじ式螺嵌方式による着脱方式である。
【００１１】図６に本発明に係る着脱方式の一方式を示す。
突起を他方の容器溝に係止する方式脱着方式である。
【００１２】図７に本発明に係る着脱方式の一方式を示す。
双方容器の凹部に接合器具を接合する方式である。
【符号の説明】１  内部容器
２  外部容器
３  中空部
４  着脱、脱落防止機構１
５  着脱、脱落防止機構２
６  着脱、脱落防止機構３
【図１】
2017218222.tif 000003
【図２】
2017218222.tif 000004
【図３】
2017218222.tif 000005
【図４】
2017218222.tif 000006
【図５】
2017218222.tif 000007
【図６】
2017218222.tif 000008
【図７】
2017218222.tif 000009
【図８】
2017218222.tif 000010
(57)【要約】【課題】  事故や災害から書籍類や写真アルバム等を守るための防水保管箱を提供する。【解決手段】    防水蓋付外箱の中に防水蓋付中箱を入れる二重防水構造からなり、防水蓋付外箱の側面開口部から防水蓋付中箱を中箱の防水蓋面側から入れ、最後に外箱の防水蓋を閉める構造で、中箱の防水蓋と外箱の防水蓋が対面に配置される二重防水構造とする事で、箱自体の強度が増し、箱の変形を抑え防水機能が保たれる。さらに、外箱本体と外箱防水蓋の防水面の外周部を粘着防水テープで補強する事ができる。また、中箱用防水蓋の内側には乾燥剤・脱酸素剤収納籠をはめ込む凹みを設ける。【選択図】図１
2017218224.tif 000002
【特許請求の範囲】
【請求項１】
中箱用防水蓋の内側に乾燥剤・脱酸素剤を入れる籠をはめ込み、防水蓋付外箱の中に防水蓋付中箱を入れる二重防水構造からなり、防水蓋付外箱の側面開口部から防水蓋付中箱を中箱の防水蓋面側から入れ、最後に外箱の防水蓋を閉める構造で、中箱の防水蓋と外箱の防水蓋が対面に配置される二重防水構造が特徴の書籍類や写真アルバム等を保管するための二重防水保管箱。
【請求項２】
防水蓋の内側に乾燥剤・脱酸素剤を入れる籠をはめ込み、箱本体と防水蓋の簡単な防水構造からなる請求項１記載の二重防水保管箱の簡易防水タイプ
【発明の詳細な説明】
【技術分野】
【０００１】  書籍類や写真アルバム用の防水保管箱に関するものである。
【背景技術】
【０００２】  書籍類や写真アルバム等は主要部分が紙で出来ていて水分の影響を多く受けると変形・破損・カビの発生等が起こりやすくなり、文章や写真等を長期間保存する事が困難になる。書籍類や写真アルバム等は、通常屋内に保管されるので直接水が掛かる事態は想定されてないのが現状で、火災発生時の消火活動による放水や津波・洪水等の事故や災害から、大切な書籍類や写真アルバム等を守るためには個別に防水機能が必要であるが、これまで本格的な防水機能を備えた保管箱が無かった。
【発明の概要】
【発明が解決しようとする課題】
【０００３】  火災発生時の消火活動による放水や津波・洪水等の事故や災害から、大切な書籍類や写真アルバム等を守るための防水機能付保管箱を提供しようとするものである。
【課題を解決するための手段】
【０００４】  防水蓋付外箱の中に防水蓋付中箱を入れる二重防水構造からなり、防水蓋付外箱の側面開口部から防水蓋付中箱を中箱の防水蓋面側から入れ、最後に外箱の防水蓋を閉める構造で、中箱の防水蓋と外箱の防水蓋が対面に配置される二重防水構造とする事で、箱自体の強度が増し箱の変形を抑え防水機能が保たれる。【０００５】  また、外箱本体と外箱防水蓋の防水面の外周部を粘着防水テープで補強する事で、さらに防水性能を向上させる事ができる。
【発明の効果】
【０００６】  事故や災害はいつ起こるか分からない。防水保管箱に入れ保管する事で、万が一の事故や災害から大切な書籍類や写真アルバム等を守る事ができる、
【図面の簡単な説明】
【０００７】
【図１】本発明の実施形態に係る斜視図である。
【発明を実施するための形態】
【０００８】  中箱本体２の中に書籍類１や写真アルバム１等を収め、乾燥剤と脱酸素剤を入れた乾燥剤・脱酸素剤収納籠３を中箱用防水蓋４にセットし中箱本体２の蓋をする。
【０００９】  外箱本体５の中に、中箱本体２を中箱用防水蓋４側から入れ、外箱用防水蓋６を閉める。
【００１０】  最後に、外箱本体５と外箱用防水蓋６の防水面の外周部を粘着防水テープ９で補強する。
【符号の説明】
【００１１】１  書籍類・写真アルバム等
２  難燃剤を添加したポリカーボネイト樹脂素材からなる中箱本体
３  乾燥剤・脱酸素剤収納籠
４  中箱用防水蓋
５  難燃剤を添加したポリカーボネイト樹脂素材からなる外箱本体
６  外箱用防水蓋
７  書籍類・写真アルバム等を出し入れしやすい様に空気の流れをスムーズにするための通気層の確保と中箱本体の補強を兼ねた補強リブ
８  中箱を出し入れしやすい様に空気の流れをスムーズにするための通気層の確保と外箱本体の補強を兼ねた補強リブ
９  外箱本体と外箱用防水蓋の防水面の外周部を補強するための粘着防水テープ
【図１】
2017218224.tif 000003
(57)【要約】      （修正有）【課題】従来の引っ張り強度が強く、風水に濡れても弱くならないビニロン製ロープやビニロン製組紐、ビニロン製金剛打組紐の提供。【解決手段】芯部に黒色ポリエチレンヤーン２又はエステルヤーンを有し、外周部にビニロンヤーン１又はエステルヤーンを有する組紐４。または、芯部に黒色ポリエチレンヤーン２又はエステルヤーンを有し、外周部にビニロンヤーン１又はエステルヤーンを有するストランを撚って成るロープ。【選択図】図１
2017218712.tif 000002
【特許請求の範囲】
【請求項１】
芯部に黒色ポリエチレンヤーン又はエステルヤーンを有し、外周部にビニロンヤーン又はエステルヤーンを有する組紐。
【請求項２】
芯部に黒色ポリエチレンヤーン又はエステルヤーンを有し、外周部にビニロンヤーン又はエステルヤーンを有するストランを撚って成るロープ。
【発明の詳細な説明】
【技術分野】
【０００１】本発明はテントやシートなどを張るために使うロープや，組紐に関する。
【背景技術】
【０００２】従来のロープや組紐としてはビニロン製ロープやビニロン製組紐、ビニロン製金剛打組紐が知られている。
【発明の概要】
【発明が解決しようとする課題】
【０００４】従来のビニロン製ロープやビニロン製組紐、ビニロン製金剛打組紐は引っ張り強度が弱く、風水に濡れると更に弱くなるという課題を有していた。
【課題を解決するための手段】
【０００５】本発明は上記課題を解決するために成されたもので、請求項１に記載の発明は、芯部に黒色ポリエチレンヤーン又はエステルヤーンを有し、外周部にビニロンヤーン又はエステルヤーンを有する組紐である。また、請求項２に記載の発明は、芯部に黒色ポリエチレンヤーン又はエステルヤーンを有し、外周部にビニロンヤーン又はエステルヤーンを有するストランを撚って成るロープである。
【発明の効果】
【０００６】本発明は上記の構成を採用することにより、引っ張り強度が改善されるという効果を発揮する。
【図面の簡単な説明】
【０００７】
【図１】本発明の組紐の切断面を示す図
【図２】本発明のロープの切断面を示す図
【発明を実施するための形態】
【０００８】図１は本発明の組紐の切断面を示す図であり、組紐４は芯部に黒色ポリエチレンヤーン２を有し、外周部にビニロンヤーン１を有している。なお、組紐４の太さは５ｍｍで、重さは１ｍ当たり１１ｇであった。この組紐の引っ張り強度を調べたところ、２００ｋｇの荷重を加えたとき組紐４は切断した。比較例として従来のビニロン製金剛打組紐で引っ張り強度を調べたところ、１８１ｋｇの荷重を加えたときビニロン製金剛打組紐は切断した。なお、ビニロン製金剛打組紐の太さは６ｍｍで、重さは１ｍ当たり１６ｇであった。この結果本発明の組紐４は従来のビニロン製金剛打組紐より細くても軽くても引っ張り強度が向上することが明らかになった。
次に図２によりロープの例を説明する。ロープ５は３本のストラン３を撚って作られている。ストラン３は芯部に黒色ポリエチレンヤーン２を有し、外周部にビニロンヤーン１を有している。なお  黒色ポリエチレンヤーン２に対し黒色を採用した意は耐光性強化の意である、本発明はテント張りの納屋や倉庫に使用すれば、従来のビニロン製金剛打組紐より細くても軽くても引っ張り強度が向上するので、経済性、作業安全性の向上が見込める。
【符号の説明】
【０００９】１    ビニロンヤーン
２    黒色ポリエチレンヤーン
３    ストラン
４    組紐
５    ロープ
【図１】
2017218712.tif 000003
【図２】
2017218712.tif 000004
(57)【要約】【課題】１日に６〜１０回の乳児のおむつ替え、衣服の開閉を簡単に手早く楽にできるようにしたい。【解決手段】乳児衣服、上下つなぎ服の内股部分の開閉ボタンをファスナーに変えた、皮膚を傷つけないようファスナーは衣服の表側に付け、裏側は布で皮膚を保護できるようにした。【選択図】図４
2017218711.tif 000002
【特許請求の範囲】
【請求項１】
乳児用衣服上下つなぎ服で、下ズボンの両足、前身ごろと後身ごろの内股縫い目部分、服地の表側にすそから股にファスナーを縫い付けたことを特徴とする乳児用つなぎ服。
【発明の詳細な説明】
【技術分野】
【０００１】    本発明は、乳児衣服、上下つなぎ服の内股部分を足首から股まで、ファスナーで開閉するものである。
【背景技術】
【０００２】  乳児のおむつを替えるとき上下つなぎ衣服のズボン内股部はスナップボタンを開け閉めしている。また冬、ボタン間にすき間ができ足が寒くなる。
【先行技術文献】
【特許文献】
【０００３】
【特許文献１】特開平０９−０３１７２３号公報
【特許文献２】実登３１０９３２３号公報
【特許文献３】実登３０６１０９１号公報
【発明の概要】
【発明が解決しようとする課題】
【０００４】  夜も含めると１日に６〜１０回、乳児のおむつ替えをするために、衣服ズボン内股部分のボタンを８個位、開閉しなければならない、これを手早くできる。
また、ボタン間に８か所のすき間ができるため、冬、肌が露出して寒い。
【課題を解決するための手段】
【０００５】  上下つなぎ服のズボン内股部分のスナップボタン部分をファスナーに変える
肌に触れる側は皮膚を傷つけないよう、布で保護するようにした。
【発明の効果】
【０００６】本発明は、夜薄暗い所でも、衣服内股部分を開閉しおむつ替えが楽に早くできる。さらに冬足部に隙間ができず温かい。
【図面の簡単な説明】
【０００７】
【図１】ズボン表側
【図２】ファスナーのテープ
【図３】Ａ‐Ａ断面図
【図４】股部分Ｂの拡大図
【発明を実施するための形態】
【０００８】  乳児の上下つなぎ服、上着側は前が開閉するもの
本発明は下ズボンの、前身ごろと後身ごろの内股縫い目部分に、ファスナーを縫い付けて開閉する。
図１はファスナー１、２を付ける位置。ことを特徴とする乳児用つなぎ服を示す図である。
Ａ‐Ａは断面図の位置。Ｂは拡大図の部分を表す。
ズボン内股側のすそから２０ｍｍ上にファスナー端３を付け始めるがファスナーのテープ部分端４は折っておく、ファスナーは股まで縫い付ける
図２は、ファスナーテープの端を折る部分４を示す図である。
図３は、Ａ‐Ａのズボンの断面図でファスナーの裏側（皮膚接地側）、ファスナーが付く部分はすべて布地、前身ごろ後身ごろの縫い代を設け、ファスナー閉鎖時、前身ごろ縫い代部と、後身ごろ縫い代部が重なり合う５重合部を設ける、このとき重合する幅は１５ｍｍが好ましい。
縫い目６、はファスナーのテープ部分とズボンの布を縫い合わせる位置を示している。
図４で図の上側は股部分、下は臀部側を示す図である。
右足ファスナーを開いた状態で前身ごろに付くのが１ａ（股側）、後身ごろ（臀部側）に付くのが１ｂ。
左足ファスナーも同じように前身ごろが２ａ（股側）、後身ごろ（臀部側）が２，ｂとなる。
ファスナー１ａ、２ａは前たてまで縫い付ける
臀部側、１ｂ、２ｂはファスナー端が臀部中央で隣接するよう縫い付ける。
【符号の説明】
【０００９】１、  右足ファスナー
１ａ、前身ごろファスナー
１ｂ  後身ごろファスナー、
２、  左足ファスナー
２ａ、前身ごろファスナー
２ｂ、後身ごろファスナー
３、  ファスナー端
４、  ファスナーテープ端
５、  重合幅
６、  縫い目
【図１】
2017218711.tif 000003
【図２】
2017218711.tif 000004
【図３】
2017218711.tif 000005
【図４】
2017218711.tif 000006
(57)【要約】【課題】  ５本指靴下は、それぞれの指が指袋に密着しているため、脱ぐときに指袋が裏返しに成り易く、靴下本体を表に返しても指袋は裏返しのままであり、一本ずつ指袋を表に返す手間がかかり面倒であった。【解決手段】  第二指用指袋から第五指用指袋の指袋先端を繋げ、脱ぐときに裏返しになりにくく、表に返し易い５本指靴下を考案した。  また、第一指用指袋を繋げず独立させて、第一指の可動域を確保し、サンダル等の鼻緒の使用にも支障はなく、第二指用指袋から第五指用指袋の先端のみを繋げたことで、履き心地にも違和感は起こらない５本指靴下である。【選択図】図２
2017218709.tif 000002
【特許請求の範囲】
【請求項１】
靴下の先端が５本の袋状（以下「指袋」という。）に分かれ、足の指それぞれに指袋を被せる構造の靴下（以下「５本指靴下」という。）の第二指用指袋から第五指用指袋までの４指の指袋先端を繋げた５本指靴下。
【発明の詳細な説明】
【技術分野】
【０００１】  本発明は、指袋が裏返しになっても、器具を使わずに簡単に表にできる５本指靴下に関するものである。
【背景技術】
【０００２】  従来の５本指靴下は、靴下の先端に５本の指袋を設けて、５指全てを独立して包むため着用感は良いが、脱ぐときは５本の指袋を一本ずつ外してから靴下を脱ぐか、一度に裏返しにして脱いでから一本ずつ表に返さなければならず、面倒であった。
【発明の概要】
【発明が解決しようとする課題】
【０００３】  従来の５本指靴下は、第一指から第五指それぞれに指袋で被せるもので、履くときはスムーズに指が入るものの、脱ぐときは発汗した指が靴下に密着するため、指袋から指が抜けにくく裏返しに成り易かった。【０００４】  第一指用指袋は、太いため比較的返し易いが、第二指用指袋から第五指用指袋までは、細く作られているため、裏返しになった５本指靴下は表に戻し難くい構造であった。【０００５】  本発明は、器具を用いずに裏返った５本指靴下を、容易に元に戻すことができるとともに、裏返しにすることなく、容易に脱ぐことができるようにすることを目的としたものである。
【課題を解決するための手段】
【０００６】  上述のように、指先を繋げることで、器具を使わずに裏返しになった指袋を容易に元に戻せ、脱ぐときも第一指用指袋及び第二指用指袋から第五指用指袋までの先端の一部を引っ張ることで、裏返しにならずに脱ぐことができる。【０００７】  第一指用指袋を独立させ、第一指の可動域を確保し、第二指用指袋から第五指用指袋の４指の先端を繋げることで、使用上は違和感がなく脱ぎやすい５本指靴下にした。
【発明の効果】
【０００８】  ５本指靴下は、それぞれの指を独立した指袋で被せる構造であり、指袋を繋げることは逆の発想である。しかし、第二指用指袋から第五指用指袋の先端のみを繋げることで、第一指の可動域を確保し、使用上違和感がない、脱ぎやすい５本指靴下を実現した。
【図面の簡単な説明】
【０００９】
【図１】  本発明で用いる５本指靴下の指袋等の名称
【図２】  指袋先端を繋げた状況
【発明を実施するための形態】
【００１０】  以下本発明を実施するための形態を説明する。
【００１１】  図２のように、第二指用指袋から第五指用指袋の先端を繋げることで、脱ぐときに靴下が裏返っても、指袋の先端は常に表に出ているため、繋がっている部分の一部を引き出せば、すべての指袋が連れて表に戻る。
【００１２】  また、脱ぐときに第一指用指袋と第二指用指袋以下の一部を引き抜くことで、全ての指袋が裏返しにならずに脱ぐことができる。
【符号の説明】
【００１３】▲１▼  ・・・第一指用指袋
▲２▼  ・・・第二指用指袋
▲３▼  ・・・第三指用指袋
▲４▼  ・・・第四指用指袋
▲５▼  ・・・第五指用指袋
Ａ  ・・・５本指靴下本体
Ｂ  ・・・指袋先端の結合状況
【図１】
2017218709.tif 000003
【図２】
2017218709.tif 000004
(57)【要約】【課題】  介護者の作業効率を向上させ、被介護者を冷えから守って安眠を促し、衛生的である被介護者用つなぎパジャマを提供する。【解決手段】  オムツ交換用のファスナー（１）を、右鼠径部（４）を始点とし、上腹部（５）、左鼠径部（６）を経由し、左足首（７）まで設け、右鼠径部（４）から上腹部（５）そして左鼠径部（６）までのファスナーをカーブで形成し、左鼠径部（６）から左足首部（７）までのファスナーを直線状に形成する。【選択図】図１
2017218710.tif 000002
【特許請求の範囲】
【請求項１】
右鼠径の始点（４）から始まるオムツ交換用のファスナー（１）が、上腹部（５）、左鼠径部（６）を経由し、終点の左足首部（７）まで備える形態の介護用つなぎのパジャマである。
【請求項２】
直線部とカーブを同時に有するファスナーを特徴とする請求項１に記載の介護用つなぎのパジャマである。
【請求項３】
ファスナーの始点部にロック機能を有することを特徴とする請求項１または２のいずれかに記載の介護用つなぎのパジャマ。
【発明の詳細な説明】
【技術分野】
【０００１】  この発明は、オムツ交換の作業効率を改善する被介護用のつなぎのパジャマに関するものである。
【背景技術】
【０００２】  ベッド上安静が必要な高齢者や認知症の人は、通常のパジャマであると、排泄後のオムツの不快感からオムツを外した後排泄するなど汚染があり、排泄物を触る等の行為があった。そこで、被介護者につなぎのパジャマを着せることで、オムツを装着した状態を保持し、汚染の危険を減少させた。【０００３】  例えば、実用新案文献１には、足首に始点があるファスナーは、股下を経由し反対の足首で終わり、首元から足首までのファスナーをそれぞれ設けたことにより、被介護者が排泄物に接触することを抑制し、汚染を防ぐつなぎのパジャマが記載されている。【０００４】  また、特許文献１には、足首から始まり股下を経由し、反対の足首で終わるファスナーと、当該ファスナーの両外側の左右足首部から腋下を経由し手首までのファスナーにより、開口部が広くなり、オムツ交換が容易になるつなぎのパジャマの技術が開示されている。
【先行技術文献】
【０００５】
【実用新案文献１】
登録実用新案第３０１１５４９号公報
【０００６】
【特許文献１】  特開平１０−２０４７０９号公報
【発明の概要】
【発明が解決しようとする課題】
【０００７】  しかしながら、ファスナーの始点が足首部にあると、オムツ交換時にファスナーのスライド移動量が大きくなり、布団を足首部までめくり上げる必要性から、布団を隣のベッドに移動することも必要となり得るので、作業時間が長くなる。またスライドの軌跡が股下を経由するので、患者の体勢によっては作業性が極端に悪く、介護者の腰に負担がかかっていた。【０００８】  さらに、布団が隣のベッドに移動されて作業時間が長くなると被介護者の体温が下がり寒気を感じたり、安眠が妨げられることになった。また布団を隣人のベッドに一時的に移動することにより被介護者にとって不衛生な印象が生じていた。
本発明は、以上の問題点を解決するためになされたものである。
【課題を解決するための手段】
【０００９】  本発明は、介護用のつなぎのパジャマにおいて、足首にあったファスナーの始点を、右鼠径部とし、右鼠径部から始まるファスナーが、上腹部、左鼠径部を経由し、左足首までをファスナー開口部として、大きくオムツ用開口部が開くことを特徴とするものである。【００１０】  曲線部分と直線部分を同時に持つファスナーを特徴とする。【００１１】  ファスナーの始点部にロック機能を有することを特徴とする介護用つなぎのパジャマ。
【発明の効果】
【００１２】  ファスナーの始点を足首から右鼠径部に移動したことにより、オムツ部位のみを大きく開口部とした平面のファスナーで簡単に開くことができ、布団を大きくめくり上げる必要もなくなり、布団を隣に移動することもないので手間が省け、介護負担は格段に軽減し、作業効率が向上する。また股下のファスナー開口部から、腰をかがめ手を衣類に潜らせ作業する必要がなく、右鼠径部を始点とした、オムツ部位を大きく開口部としたファスナーでオムツを容易に確認できるので、腰の負担が軽減する。【００１３】  ファスナーの始点を右鼠径部に移動したことにより、布団を半分に折り足に乗せたままオムツ交換ができ、布団の移動がなくなり、ノロウイルス、ＭＲＳＡなど感染の危険を抑えることができる。【００１４】  布団を二つ折りにして作業できるので、両下肢の冷えを予防し、安眠の妨げを最小限に抑えることができる。
【実施例】
【００１５】  被介護者用のパジャマがつなぎの形状であり、オムツ交換用のファスナー（１）、右下肢用ファスナー（２）及び着替え用の上半身ファスナー（３）を備える。【００１６】  オムツ交換用のファスナー（１）は、右鼠径部（４）から始まり、上腹部（５）、左鼠径部（６）を経由し、左足首（７）まである。右鼠径部（４）から上腹部（５）そして左鼠径部（６）までのファスナーは、図１の如くカーブしており、左鼠径部（６）から左足首部（７）までのファスナーは直線状となっている。【００１７】  ファスナーに直線部とカーブ部を持たせることにより、ファスナー開口部の開口面積を大きくとり、ファスナーの作業範囲を必要最小限とし、さらにファスナーを開く作業をスムーズにすることができる。【００１８】  オムツ交換時は、右鼠径部（４）を始点とし、上腹部（５）を経由し、左鼠径部（６）のみを開口部として作業できる。【００１９】  着替え時は、オムツ交換用のファスナー（１）、右下肢用ファスナー（４）及び上半身ファスナー（５）の全てのファスナーを開ける。【００２０】ファスナーの始点部（４）をカバーで覆い、被介助者が開けにくい構造である。【００２１】  オムツ交換用のファスナーの始点部（４）には、ファスナーのロック機能を追加することも有効である。ファスナーのロック機構により、被介護者が自らファスナーを開くことを回避できる。【００２２】  スライダー部分、もしくは取っ手部分と、ファスナーではないが、スライダーもしくは取っ手部分と接続することでロック機能を有する部品を、ファスナーの始点に設ける。ロック機能を有する部品はパジャマに設けているため、作業しやすい。【００２３】  ロック機能解除ボタンの裏面（被介護者面）にポケットを作り、直接ロック解除ボタンに触れられないようにして、被介護者が容易にロック機能が解除できないようにする。【００２４】ロック機能を全てパジャマに設けることにより、ロック用部品の紛失等の不都合が生じることなく、利便性が高い。
本発明は、以上のような構造である。
【図面の簡単な説明】
【００２５】
【図１】本発明の正面図である。
【符号の説明】
【００２６】（１）    オムツ交換用のファスナー
（２）    ファスナー右下肢部
（３）    ファスナー上半身部
（４）    オムツ交換用のファスナーの始点の右鼠径部
（５）    オムツ交換用のファスナーの上腹部
（６）    オムツ交換用のファスナーの左鼠径部
（７）    オムツ交換用のファスナーの終点の左足首部
【図１】
2017218710.tif 000003
(57)【要約】【課題】  車をバックする時や，狭い道を通る時，ペタルを踏み違えて急バックや急発進させて事故を起こすことがあった。【解決手段】  アクセルの下にストッパーを設け，バックは常時，前進は狭い道や人混みの時，ストッパーを立てて，間違えてペタルを踏んでも車は動かず，と同時に間違いに気づきペタルを踏み直し何事もなく済ます。【選択図】図１
2017134801.tif 000002
【特許請求の範囲】
【請求項１】
シフトレバーをバックに入れると，自動スイッチ一が入り，手動スイッチ二を入れると電動装置が回りる。
【請求項２】
シフトレバーをドライブに入れると，自動スイッチ三が入り，手動スイッチ四を入れると電動装置が回る。
【請求項３】
シフトレバーをバック又はドライブに入ると，電動装置のモーターが回りリフトを引きストッパーを引き立てる。
【発明の詳細な説明】
【技術分野】
【０００１】  この発明は，オートマチック車の電動式ストッパーに関するものである。
【背景技術】
【０００２】  従来，アクセルに踏み込みに制限はなかった。
【発明の開示】
【発明が解決しようとする課題】
【０００３】  この為，次のような欠点があった。
従来，アクセルの踏み込みに制限はなかった，この為ブレーキを踏むつもりで誤ってアクセルを踏み込み，突然車を急発進させて事故を起した。
本発明は，以上のような欠点を無くすため，なされたものである。
【課題を解決する為の手段】
【０００４】  アクセルの下にストッパーを設け，バックの時，またはドライブの時，必要に応じストッパーを立て，アクセルの踏み込みを制限する。
電動式のストッパーとは，バックとドライブの位置にそれぞれスイッチを設け，シフトレバーをバックかドライブのスイッチに入れると，電動装置が回る。
本発明は，以上のような構成によりストッパーを立て，アクセルの踏み込みを制限する。
【発明の効果】
【０００５】  バックの時或いはドライブの時，必要に応じストッパーを立て，アクセルの踏み込みを制限し，万が一，のブレーキとアクセルの踏み違いによる事故を未然に防ぐ。
バックの時．．．スイッチは常時入れたまま。（きつい登り坂の時は切る）
ドライブの時．．スイッチは常時切る。  （狭い道，人混みの中は入れる）
【発明を実施するための最良の形態】
【０００６】  シフトレバーをバック（自動スイッチ一，手動スイッチ二）又はドライブ（自動スイッチ三，手動スイッチ四）に入れると電動装置が回りストッパーを引き立て，アクセルの踏み込みを制限して，万が一，ブレーキと間違えてアクセルを踏んでも僅かしか踏めず，ブレーキを踏み直し何事なく済ます。
電動装置の仕組みは，スイッチが入りモーターを回すと筒ａ（対面に斜めの穴のある）が回り，筒ａを覆い心棒を持つ筒ｂ（おもりを巻うしろにミゾのある）は心棒を筒ａの斜めの穴を通し移動する，ミゾに填るリングが筒ａ筒ｂの回転を空転させ，リングの移動を，繋がるワイヤーがストッパーが引き立てる。
本発明は，以上のような構造で，万が一，を何ごともなく済ます。
【図面の簡単な説明】
【０００７】
【図１】  本発明の斜視図
【図２】  アクセル，ストッパーの右側面図
【図３】  電動装置の分解図である。（Ｙ床まで踏み込める図と制限図）
【符号の説明】１  シフトレバー
２  ストッパー
３  バックの自動スイッチ  一
４  バックの手動スイッチ  二
５  ドライブの自動スイッチ  三
６  ドライブの手動スイッチ  四
７  電動装置の解体図の符号
Ａ  モーター
Ｂ  筒ａ（対面に斜めの穴を持つ）
Ｃ  筒ｂ（筒ａを覆う）心棒の穴を持つ
Ｄ  心棒（筒ａの斜めの穴を通す）
Ｅ  おもり（筒ｂを巻く）
Ｆ  ミゾ（おもりの後ろに設けリングを填める）
Ｇ  リング（筒ａ筒ｂの回転を空転させ，筒ａの斜めの穴を移動する）
Ｈ  移動する幅
【図１】
2017134801.tif 000003
【図２】
2017134801.tif 000004
【図３】
2017134801.tif 000005
(57)【要約】      （修正有）【課題】手の届かない所でも施工が出来る万能パイプ孫の手を提供する。【解決手段】脚立、足場等使わずに左右、前後、上下、手の届かない所の作業をするため、パイプの先端に多種、多用な工具を取り付け可能に設計製造された万能パイプ孫の手とする。【選択図】図１
2017066848.tif 000002
【特許請求の範囲】
【発明の詳細な説明】
【技術分野】
【０００１】  此の発明は作業中工具等が、手の届かない所でも床の上から出来るように万能パイプ孫の手等の設計施工方法に関する
【背景技術】
【０００２】作業中工具等を手で持って届かない時は脚立等の足場の不安定な上に登り工具を直接手で持って使用して居ました、本発明の万能パイプ孫の手を使用すれば安全な床の上から工具が自由に使用出来る
【先行技術文献】
【特許文献】
【発明の概要】
【発明が解決しようとする課題】そこで工具を安全な床の上で自由に使える本発明の万能パイプ孫の手が求められている【０００３】本発明は、安全な床の上で手の届かない、左右、前後、上下等々自由に作業が出来る、又作業の効率良く皆さんに提供することを目的とする
【発明を解決する為の手段】
【０００４】本発明の、万能パイプ孫の手は、先端部に色々な工具を取り付けられるように設計加工製造して取り付けて手の届かない所の施工に使う目的
上記例題
丸ノコ、インパクト、ドリルその他色々等との工具を取り付け可能に設計誠造
本発明、万能パイプ孫の手の先端に色々の工具を取り付けられる様に設計製造する
【発明の効果】
【０００５】本発明は、今まで殆どありません、今では脚立や足場の上に登り工具を直接手で持って施工をしましたが本発明の万能パイプ孫の手を使いば、床の上で安全に施工が出来る又発明した万能パイプ孫の手の先端に色々の工具を取付られるように設計加工製造
【発明を実施するための形態】
【０００６】以下本発明の万能パイプ孫の手の設計製造方法の形態について図面を参照して説明する
パイプの先端に色々の工具  例丸ノコ、ドリル、インパクト、ノコギリ、ハンマ、その他等の工具が取り付けられる様うにした
【図面の簡単な説明】
【０００７】［図１、２］は、立面図、平面図、から成り同じです１と９は工具固定金具２と７は１と９＋３と８のパイプを接続固定する金具。以上組み立てると発明の万能パイプ孫の手
本発明の万能パイプ孫の手の設計、製造の形態
【図１】１、工具に取り付け固定する金具２、パイプ３、と１、を接続固定する金具４、６、は市販の丸ノコとエンパクト、又ドリル
【図２】は１と同様です。本発明は色々の工具を取り付け安全に施工出来る万能パイプ孫の手です
【図１】
2017066848.tif 000003
【図２】
2017066848.tif 000004
【手続補正書】
【提出日】平成27年12月14日(2015.12.14)
【手続補正３】
【補正対象書類名】特許請求の範囲
【補正対象項目名】全文
【補正方法】追加
【補正の内容】
【特許請求の範囲】
【請求項１】
例えば、建築等の工事中、床の上から、手の届かない所でも、工事が出来る万能パイプ孫の手
(57)【要約】【課題】従来の爪ケア製品には持続的に爪を強化しうる製品がなかった。【解決手段】爪の主成分であるケラチンを補充した後、ドライヤーで熱を加えると、ケラチンは蛋白変性を起こし分子量が増大する。それにより、さらにケラチンは爪内に留まることができる。抗炎症効果の強いボラージ油を配合することで、爪母細胞から新しい健康な爪を生成させる。【特許請求の範囲】
【請求項１】
爪にケラチン含有の製剤を塗布した後、ドライヤーの熱を加えることでケラチンの蛋白変性を促し、爪内に存在するケラチンの分子量を増大させる爪強化剤。
【請求項２】
製剤にボラージ油を含有させることで爪母細胞を健康に保つ爪強化剤。
【発明の詳細な説明】
【技術分野】
【０００１】  この発明は、持続的に爪を強化し、健康な爪の生成を促す方法・配合に関する。
【背景技術】
【０００２】  従来の爪ケア化粧品は、オイル成分で爪の表面を覆い保護するものが主であった。その他、爪の主成分であるケラチンを補充する製品が少数存在した。
【発明の概要】
【発明が解決しようとする課題】
【０００３】  オイル成分による製剤は単なる油性保護膜にすぎず、持続的な爪の強化は不可能である。次に、爪にケラチンを補充することは爪を厚く強くするには有効な手段であるが、ケラチンが水溶性であることから、手洗いで塗布剤が流出してしまい、持続的爪強化効果をもたらすには至っていなかった。
そこでこの発明は、ケラチン補充後に手洗いしてもケラチンが流れ出さず、現在生えている爪を強化すること、および、甘皮部分を健康に保つ成分を加え、丈夫な新しい爪を生成させることを課題とする。
【課題を解決するための手段】
【０００４】  以上の課題を解決するために、第一発明は、爪にケラチンを補充後、続いてドライヤーの熱を数秒加えることで、爪内に吸収されたケラチンの分子量を増大させて爪内にケラチンを留めるという製剤の使用方法である。
また第二発明は、製剤に抗炎症作用の強いボラージ油を配合し、新しく爪を再生させる爪母細胞を健康に保つ配合である。
【発明の効果】
【０００５】  第一発明、第二発明によれば、ケラチンを流出させずに持続的に爪に与えることが可能になったため、継続使用により爪は厚くなっていく。また爪母細胞に抗炎症効果の強いボラージ油を配合したことで健康な新しい爪が生成される。